(57)【要約】【課題】姿勢の変化があっても無呼吸状態を検出することができ、センサーの配置の微調整を行うことなく様々な体格の使用者に対して無呼吸状態を検出することができる呼吸状態検出装置を提供する。【解決手段】呼吸状態検出装置１は、寝具２に寝ている使用者Ａにおける、胸式呼吸計測位置情報１１１で示される範囲の圧力値４２，４２・・である第１圧力値と、腹式呼吸計測位置情報１１２で示される範囲の圧力値４２，４２・・である第２圧力値を取得する体圧分布センサ４と、当該第１圧力値に対応する第１圧力信号と当該第２圧力値に対応する第２圧力信号を受信して、当該第１圧力値の時間変化である胸式呼吸波形と当該第２圧力値の時間変化である腹式呼吸波形を把握する波形把握手段と、胸式呼吸波形と腹式呼吸波形の位相差を算出する位相差算出手段と、位相差が発生した場合に、閉塞性無呼吸状態の検出とする無呼吸状態検出手段とを備えている。【選択図】図１
2015006210.tif 000002
【特許請求の範囲】
【請求項１】
寝具に寝ている使用者における、第１測定範囲の圧力値である第１圧力値と、第２測定範囲の圧力値である第２圧力値を取得する圧力分布センサと、
前記第１圧力値に対応する第１圧力信号と前記第２圧力値に対応する第２圧力信号を受信して、前記第１圧力値の時間変化である第１波形と前記第２圧力値の時間変化である第２波形を把握する波形把握手段と、
前記第１波形と前記第２波形の位相差を算出する位相差算出手段と、
前記位相差が発生した場合に、閉塞性無呼吸状態の検出とする無呼吸状態検出手段と
を備えたことを特徴とする呼吸状態検出装置。
【請求項２】
前記圧力分布センサは、１枚のシートで構成される
ことを特徴とする請求項１に記載の呼吸状態検出装置。
【請求項３】
前記第１測定範囲は、前記使用者の胸部であり、
前記第２測定範囲は、前記使用者の腹部である
ことを特徴とする請求項１又は請求項２に記載の呼吸状態検出装置。
【発明の詳細な説明】
【技術分野】
【０００１】
本発明は、無呼吸状態等の呼吸状態を検出する呼吸状態検出装置に関する。
【背景技術】
【０００２】
睡眠時に発生する呼吸障害である無呼吸症候群は、すぐに認識し難いが、継続すると深刻な事態を招きかねない。よって、無呼吸症候群の認識のため、あるいは無呼吸時に対処するため、睡眠時無呼吸症候群に由来する睡眠時無呼吸状態の検出が求められている。
睡眠時無呼吸状態を判定する装置として、下記特許文献１に記載された睡眠時呼吸情報測定装置が知られている。
この装置では、胸郭部と腹部に対応する寝具の一部に、それぞれ呼吸センサーを配しており、それらの信号の位相差が逆位相となることにより、閉塞型の無呼吸状態を判定する。
【先行技術文献】
【特許文献】
【０００３】
【特許文献１】特許第３５４３３９２号公報
【発明の概要】
【発明が解決しようとする課題】
【０００４】
特許文献１の装置では、閉塞型の無呼吸症では胸郭部と腹部の運動が、それぞれに対して逆位相になることを利用して、胸郭部の呼吸信号と腹部の呼吸信号の位相差が逆位相となると、閉塞性の無呼吸状態を判定するため、閉塞性の無呼吸状態を検出することができる。
しかし、胸郭部対応位置と腹部対応位置に呼吸センサーを配置するため、就寝者が寝返り等で姿勢を変えることにより、胸郭部や腹部が呼吸センサーから脱することがあり、この場合には無呼吸状態の検出が不可能となる。又、就寝者の体格に合わせて双方の呼吸センサーの配置を微調整しなければならず煩わしいし、調整を誤ると無呼吸状態の検出が不可能となる。
そこで、本発明は、姿勢の変化があっても無呼吸状態を検出することができ、センサーの配置の微調整を行うことなく様々な体格の使用者に対して無呼吸状態を検出することができる呼吸状態検出装置を提供することを主な目的としたものである。
【課題を解決するための手段】
【０００５】
上記目的を達成するために、請求項１に記載の発明は、寝具に寝ている使用者における、第１測定範囲の圧力値である第１圧力値と、第２測定範囲の圧力値である第２圧力値を取得する圧力分布センサと、前記第１圧力値に対応する第１圧力信号と前記第２圧力値に対応する第２圧力信号を受信して、前記第１圧力値の時間変化である第１波形と前記第２圧力値の時間変化である第２波形を把握する波形把握手段と、前記第１波形と前記第２波形の位相差を算出する位相差算出手段と、前記位相差が発生した場合に、閉塞性無呼吸状態の検出とする無呼吸状態検出手段とを備えたことを特徴とするものである。
本発明において、各種の圧力値や圧力信号は、加えられた圧力と対応する値や形式であればどのようなものでも良く、各種の処理前、処理中あるいは処理後に、別の値や形式に変換されるものであっても良い。
請求項２に記載の発明は、上記発明にあって、前記圧力分布センサは、１枚のシートで構成されることを特徴とするものである。
請求項３に記載の発明は、上記発明にあって、前記第１測定範囲は、前記使用者の胸部であり、前記第２測定範囲は、前記使用者の腹部であることを特徴とするものである。
【発明の効果】
【０００６】
請求項１に記載の発明によれば、姿勢の変化があっても無呼吸状態を検出することができ、センサーの配置の微調整を行うことなく様々な体格の使用者に対して無呼吸状態を検出することが可能となる、という効果を奏する。
請求項２に記載の発明によれば、上記効果に加えて、更にセンサーに関する取扱いを簡便にすることができる、という効果を奏する。
請求項３に記載の発明によれば、上記効果に加えて、無呼吸状態をより精度良く的確に検出することができる、という効果を奏する。
【図面の簡単な説明】
【０００７】
【図１】本発明に係る呼吸状態検出装置の模式図である。
【図２】図１における体圧分布センサの模式図である。
【図３】図１における（ａ）仰臥胸特定パターン，（ｂ）仰臥腰特定パターン，（ｃ）側臥胸特定パターン，（ｄ）側臥腰特定パターンの模式図である。
【図４】図１の呼吸状態検出装置が実行する処理のフローチャートである。
【図５】図４の体圧分布スキャン処理の詳細を示すフローチャートである。
【図６】（ａ）〜（ｄ）は、図５の体圧分布スキャン処理中、仰臥時の胸を検出する処理の模式図である。
【図７】図５の仰臥胸スキャン処理の詳細を示すフローチャートである。
【図８】図４の計測範囲決定処理の詳細を示す模式図である。
【図９】図４の呼吸計測位置決定処理における呼吸計測位置の決定に関するグラフである。
【図１０】図４の呼吸解析処理における位相差の算出に関するグラフであり、（ａ）は正常呼吸状態，（ｂ）は無呼吸状態に関する。
【図１１】図４の呼吸解析処理の詳細を示すフローチャートである。
【発明を実施するための形態】
【０００８】
以下、本発明に係る実施の形態の例やその変更例につき、適宜図面に基づいて説明する。なお、当該形態は、下記の例に限定されない。
【０００９】
［構成等］
図１は本発明に係る呼吸状態検出装置１の模式図であって、呼吸状態検出装置１は、寝具２と、寝具２に敷かれた体圧分布センサ４と、コンピュータ６を有する。
【００１０】
寝具２は、呼吸状態検出装置１の使用者Ａ（ここでは就寝者）が寝ることのできる器具であり、ここではベッドであるが、マットレスや布団であっても良い。
【００１１】
圧力分布センサとしての体圧分布センサ４は、図２にも示すように、複数の圧力センサ４１，４１・・を有するマット状（１枚のシート）のセンサである。
圧力センサ４１，４１・・は、行と列を有するマトリクス状に配置されており、ここでは１６行１６列を有するように配置されているが、行や列の数を増減して良い。又、各圧力センサ４１の感知可能な領域の広さは、様々に設定することができる。更に、圧力センサ４１，４１・・が任意の列（あるいは任意の行）においてジグザグ状に並んでいたとしても、列（行）が設定可能であれば、マトリクス状の配置といえる。
圧力センサ４１，４１・・は、体圧分布センサ４の全体に亘り配置されている。尚、圧力センサ４１，４１・・は、体圧分布センサ４の一部（中央部等）にのみ配置されるようにして良い。
各圧力センサ４１は、感知可能な領域において加えられた圧力に係る圧力値４２を出力可能である。尚、各圧力センサ４１は、圧力値４２を、所定の単位における値そのものの形式で出力しても良いし、所定の単位における値に対応する別の形式で出力しても良い。即ち、圧力値４２の単位や形式は、どのように設定されていても良い。
体圧分布センサ４は、寝具２における使用者Ａが就寝する部位の表面に敷かれており、一般的な成人の体型を持つ使用者Ａの首部から大腿部をカバーする長さを有していて、その長さと同様な幅を有している。尚、体圧分布センサ４は、寝具２の内部に設置されても良い。又、体圧分布センサ４の長さや幅は、使用者Ａ全体をカバーする長さとしたり、幅を長さより小さくしたりする等、適宜変更することができる。
体圧分布センサ４は、全圧力センサ４１で検知した一揃いの圧力値４２，４２・・の組を、圧力センサ４１，４１・・の位置に応じた順序で出力可能である。このような圧力値４２，４２・・の一組の出力は、所定の微小時間（例えば数十ミリ秒間程度）内に行われる。又、体圧分布センサ４は、圧力値４２，４２・・の一組を出力した後、所定時間（例えば１秒間程度）の間隔を置いて圧力値４２，４２・・の別の一組を出力可能であり、更に適宜圧力値４２，４２・・組を繰り返し出力可能である。尚、圧力値４２，４２・・の一組を得る微小時間は、例えば数ミリ秒間から１秒間程度、あるいは数秒間から十数秒間、数十秒間程度まで変更可能であるが、短いほど処理能力が必要となり結果が正確になり得る。又、圧力値４２，４２・・の一組を得た後に次の圧力値４２，４２・・の一組を得る際の間隔も、同様に適宜変更可能である。
呼吸状態検出装置１では、どの圧力値４２，４２・・の組かの区別をするため、圧力値４２，４２・・の一組が出力される微小時間内の時刻（例えば微小時間の始まりの時刻）を指標時刻４３とし、圧力値４２，４２・・の各組と当該指標時刻４３とを関連付けて扱う。尚、圧力値４２，４２・・の組に対し、出力の際に連番を順次に付したり、互いに異なる識別符号を付したりする等、時刻とは別の指標を付することにより、圧力値４２，４２・・の組同士を区別しても良い。
ある指標時刻４３における一揃いの圧力値４２の組は、その指標時刻４３に係る体圧分布を示し、その指標時刻４３に関連付けられた体圧分布を示す情報が、体圧分布情報４４である。即ち、体圧分布情報４４は、体圧分布センサ４における圧力センサ４１，４１・・の配置に従った順序で、指標時刻４３における圧力値４２，４２・・を並べた、圧力値４２，４２・・の集合である。
尚、体圧分布センサ４は、各圧力値４２に対し、その圧力値４２を示した圧力センサ４１の位置を示す情報をそれぞれ付した状態で、圧力値４２，４２・・を出力するものに変更して良い。又、複数の指標時刻４３に係る体圧分布情報４４を平均等により総合する等、体圧分布情報４４について演算を経て得るものとしても良く、この場合の指標時刻４３を演算により得ても良い。
【００１２】
コンピュータ６は、体圧分布センサ４を始めとする外部機器とのインターフェイス６１と、情報の格納手段６２と、表示手段６３と、操作入力手段６４と、これらを制御する制御手段６９を備えている。
インターフェイス６１のより具体的な例として、各種の端子が挙げられる。
格納手段６２のより具体的な例として、ハードディスク、揮発性又は不揮発性のメモリ、メモリディスク及びそのドライブ、あるいはこれらの組合せが挙げられる。
表示手段６３のより具体的な例として、フラットディスプレイ、７セグメント表示器、あるいはこれらの組合せが挙げられる。
操作入力手段６４のより具体的な例として、キーボード、ポインティングデバイス、あるいはこれらの組合せが挙げられる。
制御手段６９のより具体的な例として、ＣＰＵが挙げられる。
【００１３】
格納手段６２には、使用者Ａにおける仰臥時の胸の位置をスキャンにより検出する際に用いる仰臥胸特定パターン７１が格納されている。
仰臥胸特定パターン７１は、図３（ａ）に示すような仰臥胸セル情報７２と、仰臥胸判定条件情報７３を含む。
仰臥胸セル情報７２は、任意の圧力センサ４１に対応するセルＣについて、仰臥時の胸のスキャン時に順次確認する範囲を示す情報であり、左側の２行２列のセルＣ，Ｃ・・と、右側の２行２列のセルＣ，Ｃ・・と、これらの間における空白の２行２列のブランクセルＫ，Ｋ・・を有している。尚、仰臥胸セル情報７２は、一般的な使用者Ａが仰臥姿勢を取った状態における胸（左右の肩胛骨）に対応している、圧力センサ４１，４１・・を占め得る範囲に対応している。又、仰臥胸セル情報７２における、セルＣ，Ｃ・・やブランクセルＫ，Ｋ・・に係る行や列の数を増減することができる。
仰臥胸判定条件情報７３は、仰臥胸セル情報７２内のセルＣ，Ｃ・・における圧力値４２，４２・・に関する条件を示す情報であり、仰臥胸セル情報７２で示される８個のセルＣ，Ｃ・・における圧力値４２，４２・・が、所定閾値（仰臥胸接触閾値７３ａ）を超える（ことで仰臥時の胸の検出と扱う）、という条件を示している。換言すれば、仰臥胸判定条件情報７３は、使用者Ａが仰臥姿勢を取った状態における胸に対応している、仰臥胸セル情報７２の示す範囲の圧力値４２，４２・・の条件として、セルＣ，Ｃ・・における圧力値４２，４２・・が何れも仰臥胸接触閾値７３ａを超えるものとすることを示している。尚、仰臥胸判定条件情報７３における、閾値を超えるセルＣ，Ｃ・・の数や、閾値を超えるセルＣ，Ｃ・・の互いの位置の限定の有無や、閾値の種類の数を、様々に変えて良い。
【００１４】
又、格納手段６２には、使用者Ａにおける仰臥時の腰の位置をスキャンにより検出する際に用いる仰臥腰特定パターン７４が格納されている。
仰臥腰特定パターン７４は、図３（ｂ）に示すような仰臥腰セル情報７５と、仰臥腰判定条件情報７６を含む。
仰臥腰セル情報７５は、仰臥時の腰のスキャン時に順次確認するセルＣ，Ｃ・・の範囲を示す情報であり、１行３列の互いに隣接するセルＣ，Ｃ・・を有している。換言すれば、仰臥腰セル情報７５は、使用者Ａが仰臥姿勢を取った状態における腰に対応している、圧力センサ４１，４１・・を占め得る範囲を、１行３列の互いに隣接するものとすることを示している。
仰臥腰判定条件情報７６は、仰臥腰セル情報７５の３個のセルＣ，Ｃ・・の圧力値４２，４２・・が、何れも所定閾値（仰臥腰接触閾値７６ａ）を超える（ことで仰臥時の腰の検出と扱う）、という条件に係る情報である。換言すれば、仰臥腰判定条件情報７６は、使用者Ａが仰臥姿勢を取った状態における腰に対応している、仰臥腰セル情報７５の示す範囲の圧力値４２，４２・・の条件として、何れの圧力値４２，４２・・も仰臥腰接触閾値７６ａを超えるものとすることを示している。
尚、仰臥腰特定パターン７４について、仰臥胸特定パターン７１の変更例と同様に変更して良い。
【００１５】
更に、格納手段６２には、使用者Ａにおける側臥時の胸の位置をスキャンにより検出する際に用いる側臥胸特定パターン７７が格納されている。
側臥胸特定パターン７７は、図３（ｃ）に示すような側臥胸セル情報７８と、側臥胸判定条件情報７９を含む。
側臥胸セル情報７８は、側臥時の胸のスキャン時に順次確認するセルＣ，Ｃ・・の範囲を示す情報であり、４行２列の互いに隣接するセルＣ，Ｃ・・を有している。換言すれば、側臥胸セル情報７８は、使用者Ａが側臥姿勢を取った状態における胸に対応している、圧力センサ４１，４１・・を占め得る範囲を、４行２列の互いに隣接するものとすることを示している。
側臥胸判定条件情報７９は、側臥胸セル情報７８の８個のセルＣ，Ｃ・・の圧力値４２，４２・・が、何れも所定閾値（側臥胸接触閾値７９ａ）を超える（ことで側臥時の胸の検出と扱う）、という条件に係る情報である。換言すれば、側臥胸判定条件情報７９は、使用者Ａが側臥姿勢を取った状態における胸に対応している、側臥胸セル情報７８の示す範囲の圧力値４２，４２・・の条件として、何れの圧力値４２，４２・・も側臥胸接触閾値７９ａを超えるものとすることを示している。
尚、側臥胸特定パターン７７について、仰臥胸特定パターン７１の変更例と同様に変更して良い。
【００１６】
又更に、格納手段６２には、使用者Ａにおける側臥時の腰の位置をスキャンにより検出する際に用いる側臥腰特定パターン８０が格納されている。
側臥腰特定パターン８０は、図３（ｄ）に示すような側臥腰セル情報８１と、側臥腰判定条件情報８２を含む。
側臥腰セル情報８１は、側臥時の腰のスキャン時に順次確認するセルＣ，Ｃ・・の範囲を示す情報であり、２行２列の互いに隣接するセルＣ，Ｃ・・を有している。換言すれば、側臥腰セル情報８１は、使用者Ａが側臥姿勢を取った状態における腰に対応している、圧力センサ４１，４１・・を占め得る範囲を、２行２列の互いに隣接するものとすることを示している。
側臥腰判定条件情報８２は、側臥腰セル情報８１の４個のセルＣ，Ｃ・・の圧力値４２，４２・・が、何れも所定閾値（側臥腰接触閾値８２ａ）を超える（ことで側臥時の腰の検出と扱う）、という条件に係る情報である。換言すれば、側臥腰判定条件情報８２は、使用者Ａが側臥姿勢を取った状態における腰に対応している、側臥腰セル情報８１の示す範囲の圧力値４２，４２・・の条件として、何れの圧力値４２，４２・・も側臥腰接触閾値８２ａを超えるものとすることを示している。
尚、側臥腰特定パターン８０について、仰臥胸特定パターン７１の変更例と同様に変更して良い。
【００１７】
上述した仰臥胸特定パターン７１，仰臥腰特定パターン７４，側臥胸特定パターン７７，側臥腰特定パターン８０における、仰臥や側臥の相違は、使用者Ａの寝姿の相違に相当し、胸や腰の相違は、使用者Ａの身体部位の相違に相当する。
そして、仰臥胸特定パターン７１，仰臥腰特定パターン７４，側臥胸特定パターン７７，側臥腰特定パターン８０を格納する格納手段６２は、特定パターン格納手段を構成する。
又、仰臥胸特定パターン７１，側臥胸特定パターン７７は、使用者Ａの胸部に対応する範囲を特定するために用いられ、第１測定範囲を決定する（第１測定範囲の圧力値を取得する）ために用いられる。更に、仰臥腰特定パターン７４，側臥腰特定パターン８０は、使用者Ａの腰部に対応する範囲を特定するために用いられ、第２測定範囲を決定する（第２測定範囲の圧力値を取得する）ために用いられる。
尚、胸部や腰部以外（例えば頭部や膝部や脚部等）の使用者Ａの身体部分の範囲を特定するためのパターンを用意して、当該身体部分の範囲を測定範囲とすることができる。
【００１８】
加えて、格納手段６２には、体圧分布情報４４をスキャンして使用者Ａにおける身体の各部位（胸・腰）を検出するための体圧分布スキャンプログラム９０と、検出された胸・腰の位置に応じて胸呼吸の計測位置の属する圧力センサ４１，４１・・の範囲あるいは腹呼吸の計測位置の属する圧力センサ４１，４１・・の範囲（第１測定範囲・第２測定範囲）を決定するための計測範囲決定プログラム９１と、決定された範囲内で圧力値４２，４２・・の計測をする圧力センサ４１，４１・・の位置を決定する呼吸計測位置決定プログラム９３と、計測された圧力値４２，４２・・（第１圧力値・第２圧力値）に基づき呼吸状態を割り出す呼吸解析プログラム９４が格納されている。
制御手段６９は、これらのプログラムを適宜実行することで、呼吸状態を検出する処理等を行う。
尚、各種プログラムにつき互いに統合したり、あるプログラムを更に細分化したりすることができる。
【００１９】
又、格納手段６２には、使用者Ａの体重値Ａ１が格納され得る。
更に、格納手段６２には、後述する仰臥胸検出位置情報１０１、仰臥腰検出位置情報１０３、側臥胸検出位置情報１０４、側臥腰検出位置情報１０５、並びに胸式呼吸計測位置情報１１１、及び腹式呼吸計測位置情報１１２が格納される。
又更に、格納手段６２には、後述する胸式呼吸計測情報１２１、及び腹式呼吸計測情報１２２、並びに位相差範囲情報１３１、正常呼吸状態情報１４１、無呼吸状態情報１４４が格納される。
【００２０】
［測定位置決定動作等］
次に、呼吸状態検出装置１における、主に姿勢や身体部位位置の検出ないし呼吸測定位置（測定範囲）の決定に関する動作例を説明する。
図４は、呼吸状態検出装置１が実行する処理のフローチャートである。
【００２１】
コンピュータ６の制御手段６９は、まず使用者Ａの有無を検出し（ステップＳ１）、使用者Ａが存在すれば（Ｙｅｓ）、次の処理に移り、使用者Ａが存在しなければ（Ｎｏ）、存在するまで待機する。
制御手段６９は、使用者Ａの有無を、次のように判定する。即ち、制御手段６９は、体圧分布センサ４から、インターフェイス６１を介し、複数の指標時刻４３における体圧分布情報４４を取得して、各体圧分布情報４４における何れかの圧力値４２が所定閾値（使用者存在閾値）以上となっている時間が所定時間（使用者存在判定時間）以上継続しているか否かを確認する。制御手段６９は、この条件（使用者存在判定条件）が充足されていれば、使用者Ａが寝具２上に有ると判定し、この条件が充足されていなければ、使用者Ａが寝具２上に無いと判定する。
尚、使用者存在判定条件につき、複数の圧力値４２，４２・・についての条件としても良いし、特定の場所の圧力センサ４１に係る圧力値４２についての条件としても良い。又、体圧分布センサ４とは別に使用者Ａの体重を検出するセンサ（体重検出手段）を設け、体重が検出された場合に使用者Ａが存在すると判定しても良い。更に、入力手段６４から使用者Ａが有る旨が入力された場合に使用者Ａが存在すると判定しても良い。
【００２２】
次に、制御手段６９は、体圧分布スキャンプログラム９０を実行し、使用者Ａの姿勢や身体部位を検出する体圧分布スキャン処理Ｓ２を行う。
図５に示す体圧分布スキャン処理Ｓ２にあって、制御手段６９は、まず体圧分布センサ４から、インターフェイス６１を介し、同一の指標時刻４３における体圧分布情報４４を順次に取得する、体圧分布取得処理Ｓ２１を行う。
制御手段６９は、体圧分布取得処理Ｓ２１において、体圧分布情報４４を、当該指標時刻４３を含んだ状態で、格納手段６２に格納する。
尚、体圧分布センサ４につき、体圧分布情報４４における各圧力値４２を、これに対応する別の形式の圧力値あるいは圧力信号として出力するものとし、制御手段６９は、当該圧力値あるいは圧力信号を、圧力値４２の形式に変換するようにして良い。
【００２３】
次いで、制御手段６９は、仰臥時の胸に係る、図６や図７に示すような、体圧分布情報４４に対するスキャンを行う（仰臥胸スキャン処理Ｓ２２）。
このスキャンは、仰臥時の使用者Ａの胸部位を検出することを目的とし、体圧分布情報４４の左上隅（１行目１列目）をスキャン開始位置として、仰臥胸特定パターン７１を順次体圧分布情報４４に当てはめて行われる。
ここで、体圧分布情報４４の１列目は左端とし、体圧分布情報４４の１列目は上端とする。体圧分布情報４４の上下左右は、体圧分布センサ４を上方から見た場合のものとし、仰臥時の使用者Ａにおける頭の方向が上方向で、足の方向が下方向で、右手の方向が左方向で、左手の方向が右方向である。
尚、例えば上下端の行や左右端の列を省略する等、体圧分布情報４４の内の一部を少なくとも何れかのスキャン処理においてスキャンの対象としないようにすることができる。換言すれば、スキャン処理の対象となる圧力値４２，４２・・の集合を、ある時刻における一揃いの圧力値４２，４２・・の一部に限ることができる。
【００２４】
仰臥胸スキャン処理Ｓ２２において、まず、制御手段６９は、仰臥胸特定パターン７１の仰臥胸セル情報７２を参照し、仰臥時の胸の検出の際には、２行２列のブランクセルＫ，Ｋ・・を間に挟んだ一対の２行２列のセルＣ，Ｃ・・を基準とすることを把握する（図７のステップＳ２２１）。又、ステップＳ２２１では、仰臥胸特定パターン７１の仰臥胸判定条件情報７３を参照し、仰臥時の胸の検出の際には、基準となるセルＣ，Ｃ・・の集合中の各圧力値４２，４２・・の全てが仰臥胸接触閾値７３ａを超えるか否かを判定基準とすることを把握する。
仰臥胸接触閾値７３ａについては、一般的な使用者Ａの体重に照らし予め決定したものを格納手段６２に格納しておく。又、仰臥腰接触閾値７６ａ，側臥胸接触閾値７９ａ，側臥腰接触閾値８２ａについても、同様とする。
尚、仰臥胸判定条件情報７３の参照を、後述のステップＳ２２２の後で行っても良い。又、基準となるセルＣ，Ｃ・・の集合中の所定個数以上の圧力値４２，４２・・が仰臥胸接触閾値７３ａを超えるか否かを判定基準としても良いし（例えば双方の２行２列のセルＣ，Ｃ・・においてそれぞれの内の何れか３個以上が仰臥胸接触閾値７３ａを超えるか否か等）、仰臥胸接触閾値７３ａを複数種類有するようにしても良い。
加えて、仰臥胸接触閾値７３ａ等につき、使用者Ａの体重値Ａ１に応じて決定するようにして良い。例えば、制御手段６９は、使用者Ａの体重値Ａ１を入力手段６４からの入力により取得し、入力された体重値Ａ１からそれぞれ所定の算出式により算出された値を閾値とする。当該所定の算出式として、例えば、仰臥時に多様な使用者Ａの胸（一対の肩甲骨）が寝具２に及ぼす圧力についての体重値Ａ１に応じた変化を表す関数を予め決定して格納しておくことができる。この場合、制御手段６９は、その関数に入力された体重値Ａ１を代入して、仰臥胸接触閾値７３ａを得る。又、初期の体圧分布情報４４から体重値Ａ１を推定し、その推定された体重値Ａ１から各種の閾値を算出しても良い。更に、寝具２に使用者Ａの体重値Ａ１を測定する体重測定手段を別途設け、当該体重測定手段から体重値Ａ１を得、当該体重値Ａ１から各種の閾値を得ても良い。
【００２５】
次に、制御手段６９は、スキャン位置Ｂの初期設定を行う（ステップＳ２２２）。即ち、制御手段６９は、仰臥時の胸部位をスキャンする際のスキャン位置Ｂの開始位置を、体圧分布情報４４の左上隅（１行目の１列目）とする。尚、仰臥時の胸のスキャン位置Ｂは、基準のセルＣ，Ｃ・・の内の左上隅のセルＣに着目して指定するが、他のセルＣに着目して指定しても良い。
続いて、制御手段６９は、スキャン位置ＢにおけるセルＣ，Ｃ・・の各圧力値４２，４２・・が、仰臥胸判定条件情報７３に係る条件を満たすか否かを判定する（ステップＳ２２３）。
スキャン開始直後では、図６（ａ）に示されるように、体圧分布情報４４の左上隅がスキャン位置Ｂとなり、その位置における基準のセルＣ，Ｃ・・中の圧力センサ４１，４１・・の圧力値４２，４２・・が参照される。この際、ブランクセルＫ，Ｋ・・における圧力値４２，４２・・は参照されず、一対のセルＣ，Ｃ・・の間隔を示すのみである。即ち、具体的には、体圧分布情報４４における、１行目の１列目から２列目及び５列目から６列目と、２行目の１列目から２列目及び５列目から６列目と、３行目の１列目から２列目及び５列目から６列目が参照される。
制御手段６９は、圧力値４２，４２・・と仰臥胸接触閾値７３ａを参照して当該条件の充足又は非充足を判断し、条件を満たさない場合（ステップＳ２２３でＮｏ）、最後のスキャン位置Ｂでない限り（ステップＳ２２４でＮｏ）スキャン位置Ｂを次に移動して（ステップＳ２２５）、ステップＳ２２３を繰り返す。尚、最後のスキャン位置Ｂであれば（ステップＳ２２４でＹｅｓ）、次の姿勢ないし身体部位に係る処理に移行する。
他方、制御手段６９は、当該条件を満たす場合（ステップＳ２２３でＹｅｓ）、現在のスキャン位置ＢにおけるセルＣ，Ｃ・・の位置を仰臥姿勢における胸の存在する位置であるとして、仰臥時胸部位の検出とする（ステップＳ２２６）。制御手段６９は、当該スキャン位置Ｂ（当該セルＣ，Ｃ・・の位置）を示す情報を、仰臥胸検出位置情報１０１として、スキャンした体圧分布情報４４の指標時刻４３を含む状態で、格納手段６２に格納し、仰臥時の胸に関する今回のスキャンを以後続けずに終了する。
【００２６】
ステップＳ２２５におけるスキャン位置Ｂの移動は、次のように順次行われる。
即ち、制御手段６９は、仰臥胸特定パターン７１を当てはめる際のスキャン位置Ｂを、図６（ａ）の開始位置に次いで、図６（ｂ）に示すように、行はそのままで１列右に移動する。仰臥胸セル情報７２のセルＣ，Ｃ・・は、体圧分布情報４４における、１行目の２列目から３列目及び６列目から７列目と、２行目の２列目から３列目及び６列目から７列目と、３行目の２列目から３列目及び６列目から７列目に移動する。
制御手段６９は、同様にスキャン位置Ｂを順次１列ずつ右に移動する。そして、制御手段６９は、図６（ｃ）に示すように、スキャン位置Ｂが仰臥胸特定パターン７１を考慮した最終列目（全１６列に対し仰臥胸セル情報７２の列数である６を考慮した１１列目）となると、次のスキャン位置Ｂとして、図６（ｄ）に示すように、次行の左端を設定する（体圧分布情報４４における、２行目の１列目から２列目及び５列目から６列目と、３行目の１列目から２列目及び５列目から６列目と、４行目の１列目から２列目及び５列目から６列目）。制御手段６９は、この次行においても、スキャン位置Ｂを同様に順次１列ずつ右に移動する。
制御手段６９は、ステップＳ２２３で条件充足（Ｙｅｓ）とならない限り、スキャン位置Ｂの移動を、最終行目で且つ仰臥胸特定パターン７１を考慮した最終列目である最後のスキャン位置Ｂまで行う（ステップＳ２２４参照）。
尚、スキャン位置Ｂの移動（各種特定パターンの順次の当てはめ）は、右上から左下としたり、左下から右上としたりすることができる。更に、まず端の列を上下にスキャンして、次列に移行するようにすることもできる。これらの変更例は、他のスキャン処理においても適宜同様に存在する。
【００２７】
続いて、制御手段６９は、仰臥腰スキャン処理Ｓ２３（図５）を行う。仰臥腰スキャン処理Ｓ２３は、仰臥胸スキャン処理Ｓ２２と同様に行われる。但し、仰臥腰スキャン処理Ｓ２３の仰臥腰セル情報７５において、ブランクセルＫ，Ｋ・・は存在しない。尚、仰臥腰スキャン処理Ｓ２３を仰臥胸スキャン処理Ｓ２２と同時に行って良く、他のスキャン処理においても同様である。
即ち、制御手段６９は、体圧分布情報４４の左上隅から、仰臥腰特定パターン７４の仰臥腰セル情報７５で示される１行３列のセルＣ，Ｃ・・を順次右へ又下へ移動し、仰臥腰判定条件情報７６で示される条件の充足・非充足を都度判定する。制御手段６９は、当該条件について、１行３列のセルＣ，Ｃ・・の全てが仰臥腰接触閾値７６ａを超えているか否かで判定する。当該条件の充足が無い限り、体圧分布情報４４の右端まで仰臥腰特定パターン７４によるスキャンがなされて、次行に移動される。
制御手段６９は、当該条件の充足が判定された場合には、現在の基準のセルＣ，Ｃ・・の位置（スキャン位置Ｂ）を、仰臥腰検出位置情報１０３として、格納手段６２に格納し、仰臥時の腰に関する今回のスキャンを完了する。
【００２８】
又、制御手段６９は、側臥胸スキャン処理Ｓ２４を行う。側臥胸スキャン処理Ｓ２４は、仰臥腰スキャン処理Ｓ２３と同様に行われる。
即ち、制御手段６９は、体圧分布情報４４の左上隅から、側臥胸特定パターン７７の仰臥腰セル情報７８で示される４行２列のセルＣ，Ｃ・・を順次右へ又下へ移動し、側臥胸判定条件情報７９で示される条件の充足・非充足を都度判定する。制御手段６９は、当該条件について、４行２列のセルＣ，Ｃ・・の全てが仰臥腰接触閾値７９ａを超えているか否かで判定する。
制御手段６９は、当該条件の充足が判定された場合には、現在のスキャン位置Ｂを、側臥胸検出位置情報１０４として、スキャンした体圧分布情報４４の指標時刻４３を含む状態で格納手段６２に格納し、側臥時の胸に関する今回のスキャンを完了する。
【００２９】
更に、制御手段６９は、側臥腰スキャン処理Ｓ２５を行う。側臥腰スキャン処理Ｓ２５は、仰臥腰スキャン処理Ｓ２３と同様に行われる。
即ち、制御手段６９は、体圧分布情報４４の左上隅から、側臥腰特定パターン８０の仰臥腰セル情報８１で示される４行２列のセルＣ，Ｃ・・を順次右へ又下へ移動し、側臥腰判定条件情報８２で示される条件の充足・非充足を都度判定する。制御手段６９は、当該条件について、２行２列のセルＣ，Ｃ・・の全てが仰臥腰接触閾値８２ａを超えているか否かで判定する。
制御手段６９は、当該条件の充足が判定された場合には、現在のスキャン位置Ｂを、側臥腰検出位置情報１０５として、スキャンした体圧分布情報４４の指標時刻４３を含む状態で格納手段６２に格納し、側臥姿勢の腰部位に関する今回のスキャンを完了する。
尚、仰臥時の胸や腰、あるいは側臥時の胸や腰に係るスキャンの順序は、上記以外に様々に変更することができるし、これらスキャンの一部又は全部は、同時に処理されるようにしても良い。又、仰臥時の腰を検出した場合には、側臥時の腰のスキャンをスキップするようにして良く、胸についても同様である。
【００３０】
そして、制御手段６９は、計測範囲決定プログラム９１を実行し、図８に示すような、胸呼吸や腹呼吸に係る計測位置を区切る範囲を決定する計測範囲決定処理Ｓ３（図４）を行う。制御手段６９は、計測範囲決定プログラム９１を体圧分布スキャンプログラム９０と並列的に実行し、複数の指標時刻４３に係る体圧分布情報４４の各種スキャンの実行結果が蓄積（バッファリング）された場合に計測範囲決定処理Ｓ３を行うようにする。
制御手段６９は、計測範囲決定処理Ｓ３において、仰臥胸検出位置情報１０１と仰臥腰検出位置情報１０３が所定時間（仰臥存在判定時間）に亘り存在している場合、仰臥胸検出位置情報１０１の示す圧力センサ４１の位置に係る下端と、仰臥腰検出位置情報１０３の示す圧力センサ４１の位置に係る上端の距離Ｄを二等分する中点Ｅを割り出し、体圧分布センサ４の圧力センサ４１，４１・・につき、中点Ｅを通る左右方向の線（境目Ｆ）より上側の範囲と下側の範囲に二分する。制御手段６９は、前者の範囲を胸式呼吸計測範囲Ｇとし、後者の範囲を腹式呼吸計測範囲Ｈとして、これらの範囲あるいはその境目Ｆに関する情報である呼吸計測範囲情報１０６を、格納手段６２に格納する。
尚、仰臥胸検出位置情報１０１の示す圧力センサ４１の位置に係る中央点と、仰臥腰検出位置情報１０３の示す圧力センサ４１の位置に係る中央点の間における距離の中点を基準として、胸式呼吸計測範囲Ｇと腹式呼吸計測範囲Ｈを区分して良い。又、それら範囲の境目Ｆが体圧分布センサ４の何れかの圧力センサ４１，４１・・上を通った場合においては、その境目上の圧力センサ４１，４１・・は、何れか一方の範囲に属するように決定しておくことができる。
【００３１】
又、制御手段６９は、側臥胸検出位置情報１０４と側臥腰検出位置情報１０５が所定時間（側臥存在判定時間）に亘り存在している場合、仰臥胸検出位置情報１０１と仰臥腰検出位置情報１０３の場合と同様にして、呼吸計測範囲情報１０６を、格納手段６２に格納する。
尚、側臥存在判定時間は、仰臥存在判定時間と同一であっても良いし、異なっていても良い。
【００３２】
そして、制御手段６９は、呼吸計測範囲情報１０６が存在している場合、呼吸計測位置決定プログラム９２を並列的に実行し、各範囲内における胸式呼吸あるいは腹式呼吸の計測位置を決定する呼吸計測位置決定処理Ｓ４（図４）を行う。
制御手段６９は、胸式呼吸計測範囲Ｇ内において、胸式呼吸の計測位置（第１測定範囲、胸式呼吸を計測する圧力センサ４１，４１・・の位置）を、次のように決定する。
即ち、制御手段６９は、胸式呼吸計測範囲Ｇ内における各圧力センサ４１について、圧力値４２を所定周期（圧力値モニタ周期、例えば１秒間）毎に格納手段６２に蓄積していく。
又、制御手段６９は、このような圧力値４２の蓄積開始後、所定時間（すぐ後で述べる移動平均算出対象時間と同じ時間、例えば５秒間）が経過すると、着目している指標時刻４３より所定時間（移動平均算出対象時間、例えば５秒間）だけ過去に遡った際の各圧力値４２，４２・・の平均を、胸式呼吸計測範囲Ｇ内の各圧力センサ４１毎に次々と算出していく。当該圧力値４２，４２・・の平均は、移動平均算出対象時間に亘る圧力値４２の移動平均ＡＶＥである。図９に、ある圧力センサ４１における蓄積された圧力値４２，４２・・の遷移（圧力波形ＰＷ）と、移動平均ＡＶＥの一例を示す。図９において、横軸は時間であり、縦軸は圧力値４２の大きさ（圧力）である。
そして、制御手段６９は、移動平均ＡＶＥに対する圧力波形ＰＷの高低差を併せて算出して行き、所定時間（圧力高低差把握時間）以内において所定圧力範囲値（圧力高低差範囲閾値）以上の高低差を持つ圧力値４２，４２・・が所定回数（圧力高低差把握時間内回数）以上現れた場合に、その圧力センサ４１の位置において呼吸が検出されたものと判定し、その圧力センサ４１の位置を胸式呼吸計測位置と決定して、胸式呼吸計測位置に関する情報である胸式呼吸計測位置情報１１１を格納手段６２に格納する。
又、制御手段６９は、呼吸検出後、当該高低差がキャンセル時圧力高低差範囲閾値（呼吸検出時の圧力高低差範囲閾値と同じでも良いしこれより狭くても良い）内に収まった状態が所定時間（波形検出不可時強制キャンセル待ち時間）継続すると、呼吸の計測をキャンセルし、キャンセルされた圧力センサ４１の位置に関し胸式呼吸計測位置情報１１１を更新する。
尚、移動平均ＡＶＥに対する圧力波形ＰＷの高低差に関する条件（呼吸検出に関する条件）につき、圧力値４２に係る高調時や低調時の絶対値に関する閾値を更に課する等、様々に変更することができる。又、呼吸キャンセル条件についても、同様に変更することができる。
【００３３】
更に、制御手段６９は、腹式呼吸計測範囲Ｈ内において、腹式呼吸の計測位置（第２測定範囲、腹式呼吸を計測する圧力センサ４１，４１・・の位置）を、胸式呼吸の場合と同様に決定する。
尚、腹式呼吸の計測位置の決定は、胸式呼吸に係る決定より先に行っても良いし、これらの決定を並列的に行っても良い。
【００３４】
［呼吸状態検出動作等］
続いて、呼吸状態検出装置１における、主に呼吸波形（呼吸に基づく圧力値４２の時間変化により形成される波形）の計測ないし呼吸状態の検出に関する動作例を説明する。
【００３５】
制御手段６９は、呼吸計測プログラム９３を実行し、次のようにして胸式呼吸と腹式呼吸の呼吸計測を行う（図４の呼吸計測処理Ｓ５）。
即ち、胸式呼吸に関し、制御手段６９は、胸式呼吸計測位置情報１１１で示される位置の圧力センサ４１における、複数の指標時刻４３に亘る圧力値４２，４２・・（第１圧力値）を収集し、胸式呼吸計測情報１２１として格納手段６２に格納する。尚、制御手段６９は、呼吸検出（呼吸計測位置決定）の際に収集した複数の指標時刻４３に亘る圧力値４２，４２・・を参照することで、胸式呼吸計測情報１２１を参照するようにして良い。又、各圧力値４２を所定の関数で変換して、変換後の値を胸式呼吸計測情報１２１として格納しても良い。
又、腹式呼吸に関し、制御手段６９は、胸式呼吸の場合と同様にして、胸式呼吸計測位置情報１１２で示される位置の圧力センサ４１における圧力値４２，４２・・（第２圧力値）である腹式呼吸計測情報１２２を得る。尚、胸式呼吸計測情報１２１と腹式呼吸計測情報１２２の取得は、何れが先であっても良いし、並列処理により同時であっても良い。
【００３６】
更に、制御手段６９は、呼吸解析プログラム９４を実行し、図１０や図１１で表されるような、呼吸状態を検出するための胸式呼吸と腹式呼吸の解析を行う（図４の呼吸解析処理Ｓ６）。
【００３７】
即ち、制御手段６９は、図１０で表されるような、胸式呼吸計測情報１２１で示される胸式呼吸波形ＧＷ（第１波形）と、腹式呼吸計測情報１２２で示される腹式呼吸波形ＨＷ（第２波形）とを、これらの情報の参照により把握する（図１１のステップＳ６１）。図１０における横軸は時間であり、縦軸は圧力値４２の大きさ（圧力）である。ステップＳ６１を実行する制御手段６９は、波形把握手段を構成する。波形把握手段には、胸式呼吸計測情報１２１や腹式呼吸計測情報１２２の取得に関する処理を実行する制御手段６９を含めても良い。
尚、図１０では、簡略化のため、胸式呼吸波形ＧＷや腹式呼吸波形ＨＷを比較的になだらかな形状（中心線）で示したが、実際には、拡大すると図９の圧力波形ＰＷの後半部のように短時間内に上下変動のあるジグザグの形状である。換言すれば、実際には、図１０の形状をほぼ中心線とするジグザグの形状である。ジグザグの上下幅は、図１０（ａ）の胸式呼吸波形ＧＷでは、図示された縦軸の１６分の１程度であり、図１０（ｂ）の呼吸波形では、図示された縦軸の３２分の１程度である。又、ジグザグの周期（極大点から極小点を経て次の極大点までの時間）は、図１０で表された胸式呼吸波形ＧＷや腹式呼吸波形ＨＷの周期に対し、２０分の１ないし５０分の１程度である。
【００３８】
次に、制御手段６９は、胸式呼吸波形ＧＷと腹式呼吸波形ＨＷの位相差を算出する（ステップＳ６２）。ステップＳ６２を実行する制御手段６９は、位相差算出手段を構成する。
位相差を算出する際には、図１０で示した波形（中心線の波形）を用いる。制御手段は、移動平均等により、当該中心線を把握して、格納手段６２に格納する。以下では、当該中心線で表されたものを胸式呼吸波形ＧＷや腹式呼吸波形ＨＷとして説明する。
位相差を算出する際の基準波形点として、ここでは胸式呼吸波形ＧＷや腹式呼吸波形ＨＷの極大点の手前における角を用いる。当該角は、極大点の直前において二階微分値が極値をとる点として把握可能である。尚、基準波形点として、胸式呼吸波形ＧＷや腹式呼吸波形ＨＷの極大点を選択しても良い。
制御手段６９は、胸式呼吸波形ＧＷの基準波形点の時刻（時刻ＧＷ０，ＧＷ１等）と、腹式呼吸波形ＨＷの基準波形点の時刻（時刻ＨＷ０，ＨＷ１等）を逐次把握する。
そして、制御手段６９は、胸式呼吸と腹式呼吸の位相差を、最も近い、胸式呼吸波形ＧＷの基準波形点の時刻と腹式呼吸波形ＨＷの基準波形点の時刻の差から算出する。
例えば、図１０（ａ）では、時刻ＧＷ０と時刻ＨＷ０が同一であり、位相差δ０は０である。
又、図１０（ｂ）では、胸式呼吸波形ＧＷが僅かに腹式呼吸波形ＨＷより先行して、時刻ＧＷ１と時刻ＨＷ１がずれており、位相差δ１が発生している。
【００３９】
図１０（ｂ）のように胸式呼吸波形ＧＷと腹式呼吸波形ＨＷで逆位相となっている場合、使用者Ａは閉塞性無呼吸状態となっている可能性が極めて高い。つまり、使用者Ａの上気道が完全に閉塞されたまま呼吸運動を行おうとすると、息の身体外部に対する流出入の無い状態で呼吸しようとする。すると、腹部の吸入運動により胸部内の息が出て行くような状態となると共に、腹部の吐出運動により胸部内に身体内の息が入ってくるような状態となって、胸部と腹部の運動が逆位相になる。尚、無呼吸状態には、通常の呼吸頻度（例えば数秒毎に１回の頻度）に比べ所定度合以上低い呼吸頻度（例えば数分毎に１回の頻度）となっている低呼吸状態を含んでも良い。
一方、図１０（ａ）のように胸式呼吸波形ＧＷと腹式呼吸波形ＨＷで位相差δ０がゼロである場合、上気道から息が体外に流通して、腹部の吸入運動により胸部に息が入り、腹部の吐出運動により胸部から息が出る、通常の正常な呼吸状態となっている。
無呼吸状態とすべき位相差の範囲（無呼吸状態に対応する位相差の最小値（逆位相を始めとする所定値）等）に関する情報は、位相差範囲情報１３１として格納手段６２に格納されている。
【００４０】
制御手段６９は、算出された位相差と位相差範囲情報１３１を参照し、位相差を位相差範囲情報１３１に当てはめて、位相差に応じ各種の呼吸状態を検出する（ステップＳ６３〜Ｓ６５）。ステップＳ６３〜Ｓ６５を実行する制御手段６９は、無呼吸状態検出手段を構成する。尚、一部の呼吸状態の検出を省略することができる。
制御手段６９は、位相差から導出される呼吸状態が正常呼吸状態である場合（位相差δ０のとき等）、当該状態を検出したものとして、正常呼吸状態情報１４１を格納手段６２に格納し、当該状態である旨を表示手段６３に表示する（ステップＳ６４）。
又、制御手段６９は、位相差から導出される呼吸状態が無呼吸状態である場合（位相差δ１のとき等）、当該状態を検出したものとして、無呼吸状態情報１４４を格納手段６２に格納し、当該状態である旨を表示手段６３に表示する（ステップＳ６５）。
尚、これらの情報の格納や表示の内、一部を省略しても良い。又、算出された位相差δ０，δ１等は、格納手段６２に適宜格納されて良い。
【００４１】
このような呼吸解析処理Ｓ６の後、制御手段６９は、各種処理を適宜繰り返す。
【００４２】
［効果等］
以上の呼吸状態検出装置１では、寝具２に寝ている使用者Ａにおける、第１測定範囲（胸式呼吸計測位置情報１１１で示される範囲）の圧力値４２，４２・・である第１圧力値と、第２測定範囲（腹式呼吸計測位置情報１１２で示される範囲）の圧力値４２，４２・・である第２圧力値を取得する体圧分布センサ４と、当該第１圧力値に対応する第１圧力信号と当該第２圧力値に対応する第２圧力信号を受信して、当該第１圧力値の時間変化である胸式呼吸波形ＧＷと当該第２圧力値の時間変化である腹式呼吸波形ＨＷを把握する波形把握手段と、胸式呼吸波形ＧＷと腹式呼吸波形ＨＷの位相差を算出する位相差算出手段と、位相差δ１等が発生した場合に、閉塞性無呼吸状態の検出とする無呼吸状態検出手段とを備えている。
よって、使用者Ａの姿勢の変化があり腹部や胸部が移動したとしても、使用者Ａが体圧分布センサ４内に収まっていれば無呼吸状態を検出することができる。又、使用者Ａが体圧分布センサ４内に収まりさえすれば、使用者Ａの体格等に応じ寝具２における体圧分布センサ４の位置を微調整する必要がなく、手間の少ない状態で正確な呼吸状態の検出を行うことが可能となる。
【００４３】
又、前記圧力分布センサは、１枚のシートで構成される。よって、シートを配置するだけで第１及び第２の圧力値や波形を検出することができ、より一層簡便に正確な呼吸状態の検出を行える。
更に、第１測定範囲は、前記使用者の胸部であり、第２測定範囲は、前記使用者の腹部である。よって、閉塞性無呼吸状態をより正確に検出することができる。
【００４４】
尚、制御手段６９は、特定パターン（仰臥胸特定パターン７１，仰臥腰特定パターン７４，側臥胸特定パターン７７，側臥腰特定パターン８０）を体圧分布情報４４に順次当てはめる（スキャンする）ことで、仰臥胸検出位置情報１０１・仰臥腰検出位置情報１０３・側臥胸検出位置情報１０４・側臥腰検出位置情報１０５、あるいは呼吸計測範囲情報１０６（胸式呼吸計測範囲Ｇ・腹式呼吸計測範囲Ｈ・これらの境目Ｆ）を決定する。よって、特定パターンにより特定の姿勢（仰臥・側臥）における身体部位（胸・腰）が検出された場合には、更に体圧分布情報４４を参照する必要がなくなり、情報処理量の少ない状態で正確に（効率良く）仰臥胸検出位置情報１０１等を把握することができる。
又、制御手段６９は、圧力波形ＰＷと移動平均ＡＶＥを順次算出し、所定条件を満たした場合に、呼吸の検出とする。ここで、当該所定条件は、所定圧力範囲値以上の高低差を持つ圧力値４２，４２・・が出現したか否かとしたり、所定時間以内において所定圧力範囲値以上の高低差を持つ圧力値４２，４２・・が所定回数以上現れたか否かとしたりすることができる。従って、体動等の他の要因による圧力変動を適切に排除して、呼吸による圧力変動を正確に検出することができる。
更に、制御手段６９は、胸式呼吸計測範囲Ｇや腹式呼吸計測範囲Ｈを設定し、それらの範囲内において呼吸の検出（呼吸測定位置の決定）を行う。よって、使用者Ａの移動等があったとしても正確に呼吸を検出することができる。
【符号の説明】
【００４５】
１・・呼吸状態検出装置、２・・寝具、４・・体圧分布センサ（圧力分布センサ）、４１・・圧力センサ、４２・・圧力値（第１圧力値・第１圧力信号，第２圧力値・第２圧力信号）、６９・・制御手段（波形把握手段，位相差算出手段，無呼吸状態検出手段）、１１１・・胸式呼吸計測位置情報（第１測定範囲）、１１２・・腹式呼吸計測位置情報（第２測定範囲）、１２１・・胸式呼吸計測情報（第１波形の基データ）、１２２・・腹式呼吸計測情報（第２波形の基データ）、Ａ・・使用者、ＧＷ・・胸式呼吸波形（第１波形）、ＨＷ・・腹式呼吸波形（第２波形）、δ０，δ１・・位相差。
【図１】
2015006210.tif 000003
【図２】
2015006210.tif 000004
【図３】
2015006210.tif 000005
【図４】
2015006210.tif 000006
【図５】
2015006210.tif 000007
【図６】
2015006210.tif 000008
【図７】
2015006210.tif 000009
【図８】
2015006210.tif 000010
【図９】
2015006210.tif 000011
【図１０】
2015006210.tif 000012
【図１１】
2015006210.tif 000013